(57)【要約】【課題】  湾曲したり反りを生じたりすることのないタイルカーペットを提供することを目的とする。【解決手段】  竹製の多数本の線状材５を平行かつ密に配設した表面材１と、表面材１の裏面に接着される薄シート体６と、床面Ｆに対応して敷設される不織布等の裏面材３とを、備えた全体正方形のタイルカーペットに於けるものである。かつ、網代編み状として直交して編まれた竹製の多数の帯状部材４ａ，４ｂから成る歪吸収層２を、薄シート体６と裏面材３との間に介装したものである。【選択図】  図２
2006345930.tif 000002
【特許請求の範囲】
【請求項１】
竹製又は籐製の多数本の線状材（５）を平行かつ密に配設した表面材（１）と、該表面材（１）の裏面に接着される薄シート体（６）と、床面（Ｆ）に対応して敷設される不織布等の裏面材（３）とを、備えた全体正方形のタイルカーペットに於て、
四つ目編み状乃至網代編み状として直交して編まれた竹製又は木製の多数の帯状部材（４ａ)(４ｂ）から成る歪吸収層（２）を、上記薄シート体（６）と上記裏面材（３）との間に介装したことを特徴とするタイルカーペット。
【請求項２】
多数の上記帯状部材（４ａ)(４ｂ）の互いに重なり合う部位（Ａ）が、相互に不十分接着乃至非接着とした請求項１記載のタイルカーペット。
【発明の詳細な説明】
【技術分野】
【０００１】
本発明は、タイルカーペットに関する。
【背景技術】
【０００２】
従来、床面に敷設されるタイルカーペットには、弾性シート体の表面に竹又は籐から成る線状の部材を多数本平行に並べて作製したものがある（例えば、特許文献１参照）。
【特許文献１】特開平９−２５７０５号公報
【発明の開示】
【発明が解決しようとする課題】
【０００３】
しかし、従来のタイルカーペットに使用される天然素材であるところの竹又は籐は、湿度の変化に伴って変形し易く、例えば乾燥すると、図９に示すように、角部が反り上がったり中間部が盛り上がったりして湾曲する欠点があった。そして、床に敷設したタイルカーペットが湾曲すると、床に凹凸が生じ、見た目に悪く、つまずく虞を生じ、また、タイルカーペットが床から剥がれ易くなるという問題があった。
そこで、本発明は、湾曲したり反りを生じたりすることのないタイルカーペットを提供することを目的とする。
【課題を解決するための手段】
【０００４】
上記目的を達成するために、本発明に係るタイルカーペットは、竹製又は籐製の多数本の線状材を平行かつ密に配設した表面材と、該表面材の裏面に接着される薄シート体と、床面に対応して敷設される不織布等の裏面材とを、備えた全体正方形のタイルカーペットに於て、四つ目編み状乃至網代編み状として直交して編まれた竹製又は木製の多数の帯状部材から成る歪吸収層を、上記薄シート体と上記裏面材との間に介装したものである。
また、多数の上記帯状部材の互いに重なり合う部位が、相互に不十分接着乃至非接着とした。
【発明の効果】
【０００５】
本発明は、次のような著大な効果を奏する。
本発明に係るタイルカーペットによれば、歪吸収層にて、表面材が湾曲するのを防止することができる。
即ち、タイルカーペットが、乾燥状態と過湿状態の間で湿度が変化すると、表面材を形成する天然素材の線状材の（長さや幅等の）寸法が変化して表面材と裏面材との間に相対的な内部応力を生じるが、歪吸収層の帯状部材がその内部応力を分散・吸収する。つまり、直交して編まれた帯状部材が相互に微小のずれを生ずることを許容し、上記内部応力を分散・吸収することができる。このことにより、タイルカーペットが湾曲したり反りを生じたりすることを防止できる。
【発明を実施するための最良の形態】
【０００６】
以下、実施の形態を示す図面に基づき本発明を詳説する。
本発明の第１の実施の形態に於て、図１に示すように、タイルカーペット10は、全体が正方形に形成され、竹製又は籐製の多数本の線状材５を平行かつ密に配設した表面材１を有している。
図２に於て、タイルカーペット10は、表面材１の裏面に接着される薄シート体６と、床面Ｆに対応して敷設される不織布等の裏面材３とを、備えている。
さらに、薄シート体６と裏面材３との間には、歪吸収層２が介装されている。
【０００７】
図４又は図５に示すように、歪吸収層２は、竹製又は木製の多数の帯状部材４ａ，４ｂを編んで面状に形成されたものであり、帯状部材４ａ，４ｂは網代編み状に直交して編まれている。さらに、帯状部材４ａ，４ｂの互いに重なり合う部位Ａは、相互に不十分接着乃至非接着とされている。ここで、不十分接着とは、直交する帯状部材４ａ，４ｂの重なり合う部位Ａの10％未満の面積に、接着剤が付着し接着した状態をいうものと定義する。このような10％未満の接着状態下では、重なり合った帯状部材４ａ，４ｂが互いに僅かにずれ動くことができる（接着）状態となる。言い換えれば、不十分接着とは、薄シート体６又は裏面材３に歪吸収層２を接着する際に、重なり合う帯状部材４ａ，４ｂの間に接着剤が侵入したことによる意図しない接着であり、意図的に重なり合った帯状部材４ａ，４ｂどうしを強固に接着する場合は含まれない。
【０００８】
本発明のタイルカーペット10の作製の方法としては、図３に示すように、まず、正方形の薄シート体６の一面（表面）に多数本の線状材５を平行かつ密に並べて接着し、表面側中間材７を作製する（図４参照）。また、線状材５は、その上面が滑らかな凸曲面に形成され、その横断面形状は矩形の下部と横倒弓状の上部とを有するカップケーキ形に形成されている（図２参照）。なお、多数本の線状材５どうしは接着されていない。
次に、図４に於て、予め帯状部材４ａ，４ｂを編んで作製した歪吸収層２と、裏面材３とを、接着し、歪吸収層２の表て面側に表面側中間材７を接着する。このようにして、タイルカーペット10は作製される。また、裏面材３の素材としては、合成繊維から成る不織布や、ゴム又は軟質プラスチックである。
なお、歪吸収層２に、表面側中間材７と裏面材３を接着する順序はどちらが先に行われてもよい。
【０００９】
また、歪吸収層２は帯状部材４ａ，４ｂを編んで形成されているため、その両面は平面状とはならずに凹凸が生じる。つまり、図２に示すように、歪吸収層２は表面側中間材７及び裏面材３と（凸部15に於て）部分的に接着され、表面側中間材７及び裏面材３と歪吸収層２の凹部16との間には空気層８が存在している。
【００１０】
歪吸収層２の帯状部材４ａ，４ｂが竹製である場合、その作製方法について説明する。  図７（ａ）に於て、竹Ｂを周方向に所定ピッチにひかれた仮想の径方向切断線12に沿って長手方向に切断して、所定の長さの切断片９を形成する。
次に、仮想線13で示すように、切断片９から両側端、表て面、裏面を切り捨て、同図（ｂ）に示す横断面長方形の帯板片11を作製する。
そして、帯板片11の横断面の長辺に平行にひかれた仮想の切断線14に沿って、帯板片11を長手方向にスライスし、帯状部材４を作製する。
また、帯状部材４は、その長手方向に繊維が伸びて配置されている。
【００１１】
次に、本発明の第２の実施の形態に於て、図１と図２に示すように、竹製又は籐製の多数本の線状材５を平行かつ密に配設した表面材１と、表面材１の裏面に接着される薄シート体６と、床面Ｆに対応して敷設される不織布等の裏面材３とを、備えている。また、薄シート体６と裏面材３との間には、歪吸収層２が介装されている。
そして、図６に示すように、歪吸収層２は、竹製又は木製の多数の帯状部材４ａ，４ｂを編んで面状に形成されたものであり、帯状部材４ａ，４ｂは四つ目編み状に直交して編まれている。また、帯状部材４ａ，４ｂの互いに重なり合う部位Ａは、相互に不十分接着乃至非接着とされている。
【００１２】
上述した本発明のタイルカーペットの使用方法（作用）について説明する。
図８に示すように、床面Ｆに本発明のタイルカーペット10を敷設する。そして、タイルカーペット10を乾燥状態と過湿状態の湿度が変化する環境下に置くと、図１に於て、表面材１を形成する天然素材（竹製又は籐製）の線状材５の（長さや幅等の）寸法が変化し、表面材１と裏面材３との間に相対的な内部応力が生じる。このとき、図２又は図５に於て、帯状部材４ａ，４ｂが相互に重なり合う部位Ａで、その内部応力を分散・吸収する。つまり、直交して編まれた帯状部材４ａ，４ｂが相互に微小のずれを生ずることを許容し、上記内部応力を分散・吸収する。
【００１３】
以上のように、本発明のタイルカーペットは、竹製又は籐製の多数本の線状材５を平行かつ密に配設した表面材１と、表面材１の裏面に接着される薄シート体６と、床面Ｆに対応して敷設される不織布等の裏面材３とを、備えた全体正方形のタイルカーペットに於て、四つ目編み状乃至網代編み状として直交して編まれた竹製又は木製の多数の帯状部材４ａ，４ｂから成る歪吸収層２を、薄シート体６と裏面材３との間に介装したので、歪吸収層２にて、表面材１が湾曲するのを防止することができる。
即ち、タイルカーペット10が、乾燥状態と過湿状態の間で湿度が変化すると、表面材１を形成する天然素材の線状材５の（長さや幅等の）寸法が変化して表面材１と裏面材３との間に相対的な内部応力を生じるが、歪吸収層２の帯状部材４ａ，４ｂがその内部応力を分散・吸収する。つまり、直交して編まれた帯状部材４ａ，４ｂが相互に微小のずれを生ずることを許容するので、上記内部応力を分散・吸収することができる。このことにより、タイルカーペット10が湾曲したり反りを生じたりすることを防止できる。
【００１４】
また、多数の帯状部材４ａ，４ｂの互いに重なり合う部位Ａが、相互に不十分接着乃至非接着としたので、帯状部材４ａ，４ｂの互いに重なり合う部位Ａにて、タイルカーペット10に生じる内部応力を分散・吸収することができる。
即ち、乾燥状態と過湿状態の間で湿度が変化すると、表面材１を形成する天然素材の線状材５の（長さや幅等の）寸法が変化して表面材１と裏面材３との間に相対的な内部応力を生じるが、歪吸収層２の帯状部材４ａ，４ｂが、互いに重なり合う部位Ａにてその内部応力を分散・吸収する。つまり、直交して編まれた帯状部材４ａ，４ｂが相互に微小のずれを生ずることを許容するので、上記内部応力を分散・吸収することができる。このことにより、タイルカーペット10が湾曲したり反りを生じたりすることを防止できる。
【図面の簡単な説明】
【００１５】
【図１】本発明の第１の実施の形態を示す斜視図である。
【図２】側面図である。
【図３】説明用の斜視図である。
【図４】説明用の分解斜視図である。
【図５】歪吸収層の平面図である。
【図６】第２の実施の形態に於ける歪吸収層の平面図である。
【図７】説明用の斜視図であって、（ａ）は竹から帯板片を作製する方法を示す説明    用の斜視図、（ｂ）は帯板片から帯状部材を作製する方法を示す説明用斜視図である    。
【図８】説明用の斜視図である。
【図９】従来のタイルカーペットの斜視図である。
【符号の説明】
【００１６】
１  表面材
２  歪吸収層
３  裏面材
４ａ，４ｂ  帯状部材
５  線状材
６  薄シート体
Ａ  重なり合う部位
Ｆ  床面
【図１】
2006345930.tif 000003
【図２】
2006345930.tif 000004
【図３】
2006345930.tif 000005
【図４】
2006345930.tif 000006
【図５】
2006345930.tif 000007
【図６】
2006345930.tif 000008
【図７】
2006345930.tif 000009
【図８】
2006345930.tif 000010
【図９】
2006345930.tif 000011